(57)【要約】【課題】周囲の香りや臭いを検出し、濃度に応じた音楽等のコンテンツ再生を行い、使用者に対して周囲環境に応じた音楽等を提供する。【解決手段】判定部１４は、気体成分センサ１３で検出された気体成分が有害か無害か、及び気体成分の濃度変化を判定する。記憶部１５は、気体成分の種類や濃度変化ごとに設定した音楽に関する音楽情報、光のパターン等の発光態様に関する発光情報等を記憶し登録する。制御部１６は、判定部１４の判定結果に基づき、検出された気体成分の有害判定がなされた場合で、濃度変化が増加判定の場合に、音楽再生部１２及び表示部１１によってアラーム警告用の音楽再生、発光を行う。また、濃度変化が減少判定の場合、アラーム警告用の音楽再生、発光を停止させる。【選択図】図１
2010187126.tif 000002
【特許請求の範囲】
【請求項１】
周辺の気体成分を検出する気体成分検出部と、
複数の音楽情報を記憶する記憶部と、
前記音楽情報を出力する出力部と、
前記気体成分検出部で検出した気体成分の種類及び濃度を判定する判定部と、
前記判定部の判定結果に基づき、前記濃度に応じて前記記憶部から音楽情報を読み出し、前記出力部に出力するよう制御する制御部と、
を備える携帯電子機器。
【請求項２】
請求項１に記載の携帯電子機器であって、
前記判定部は、前記気体成分が有害成分であるか無害成分であるかを判定し、
前記制御部は、前記有害または無害の判定結果に応じて前記音楽情報の出力を制御する携帯電子機器。
【請求項３】
請求項２に記載の携帯電子機器であって、
前記制御部は、前記判定部により有害の判定がなされた場合に、前記音楽情報を通常より大きい音量で出力させる携帯電子機器。
【請求項４】
請求項１に記載の携帯電子機器であって、
前記判定部は、前記濃度として濃度変化、濃度レベルの少なくとも一つを判定し、
前記制御部は、前記判定部で判定した濃度変化、濃度レベルの少なくとも一つに応じて、前記音楽情報の出力を制御する携帯電子機器。
【請求項５】
請求項１に記載の携帯電子機器であって、
前記出力部は、所定の光を発光する発光部を備え、
前記記憶部は、前記発光部による発光態様を示す発光情報を記憶し、
前記制御部は、前記濃度に応じて前記記憶部から発光情報を読み出し、この発光情報に従って前記発光部を発光させる携帯電子機器。
【請求項６】
請求項５に記載の携帯電子機器であって、
前記判定部は、前記気体成分が有害成分であるか無害成分であるかを判定し、
前記制御部は、前記判定部により有害の判定がなされた場合に、警告用の発光態様で前記発光部を発光させる携帯電子機器。
【請求項７】
請求項１に記載の携帯電子機器であって、
外部装置と通信する通信部を備え、
前記制御部は、前記判定部で判定する気体成分情報として、有害成分の種類、香り成分のうちの少なくとも一つの情報を、前記通信部を介して更新する携帯電子機器。
【発明の詳細な説明】
【技術分野】
【０００１】
本発明は、音楽等のコンテンツ再生機能を有する携帯電子機器に関する。
【背景技術】
【０００２】
携帯電子機器において、携帯音楽プレーヤはもちろん、携帯電話装置や携帯情報端末等においても音楽等のコンテンツ再生機能を有するものがあり、使用者が携帯して任意の場所で音楽等を聴くことができるようになっている。この際、例えば周囲の環境に合わせた音楽等のコンテンツを取得したいなどという要望がある。
【０００３】
例えば特許文献１には、ユーザの状態（心拍数、血圧など）、状況（位置、日時、気温など）を計測し、計測結果に基づいたユーザの現在の気分を表すパラメータに従って、感性インデックスが合致したコンテンツを再生する感性適応型情報提示装置が開示されている。この装置によれば、ユーザが明示的に指示しなくとも、ユーザの気分に合った音楽等のコンテンツを自動的に提示することが可能になる。
【０００４】
また、例えば特許文献２には、宅内環境、宅内設備、居住者の行動、又は居住者の生体情報を検知し、検知結果又はこの検知結果に基づく居住者の生活状況を表す情報を伝達して、居住者の生活状況を表す情報を表現する生活状況環境表現装置が開示されている。この装置によれば、居住者の生活状況、生活環境を見守ることができ、異常が発生した場合には、異常に関連する情報を送信していち早く対応することが可能になる。
【０００５】
しかし、特許文献１の従来例では、ユーザの状態や状況の計測結果に基づく気分を表すパラメータを検索するために、感性を表す感性インデックス蓄積部と変換テーブルとをコンテンツインデックス管理部の中に設ける必要があり、構成が複雑化し、処理が煩雑になるという課題がある。また、ユーザの周囲の香りや臭いに合わせてコンテンツを再生するようなことはできず、さらには香りや臭いの濃度に応じたコンテンツ再生などは不可能である。
【０００６】
また、特許文献２の従来例では、センシング対象エリアから、そのエリアの状況を把握したい人に対して情報を伝達することはできるが、センシング対象エリアにいる人自身に対して状況を知らせたり、状況に応じた音楽等のコンテンツ再生を行うことができない。例えば、ガスなどの有害な気体の臭いが検出された場合に、異常情報の警告をセンシング対象エリアにおいて認識できないという課題がある。また、香りや臭いの濃度に応じた音楽再生や警告などは不可能である。
【特許文献１】特開２００１−２８２８４７号公報
【特許文献２】特開２００４−９６６３０号公報
【発明の開示】
【発明が解決しようとする課題】
【０００７】
本発明は、上記事情に鑑みてなされたもので、周囲の香りや臭いを検出し、濃度に応じた音楽等のコンテンツ再生を行うことができ、使用者に対して周囲環境に応じた音楽等を提供することが可能な携帯電子機器を提供することを目的とする。
また、本発明は、有害な臭いを検出した場合に、濃度に応じて使用者に対し警告を行うことが可能な携帯電子機器を提供することを目的とする。
【課題を解決するための手段】
【０００８】
本発明は、周辺の気体成分を検出する気体成分検出部と、複数の音楽情報を記憶する記憶部と、前記音楽情報を出力する出力部と、前記気体成分検出部で検出した気体成分の種類及び濃度を判定する判定部と、前記判定部の判定結果に基づき、前記濃度に応じて前記記憶部から音楽情報を読み出し、前記出力部に出力するよう制御する制御部と、を備える携帯電子機器を提供する。
これにより、周囲の香りや臭いを検出し、検出された気体成分の濃度に応じた音楽等のコンテンツ再生を行うことが可能となる。このため、使用者に対して周囲環境に応じた音楽等を提供することができるようになる。
【０００９】
また、本発明は、上記の携帯電子機器であって、前記判定部は、前記気体成分が有害成分であるか無害成分であるかを判定し、前記制御部は、前記有害または無害の判定結果に応じて前記音楽情報の出力を制御するものを含む。
これにより、検出された気体成分が有害か無害かによって、気体成分の種類に応じた音楽の再生出力が可能となる。
【００１０】
また、本発明は、上記の携帯電子機器であって、前記制御部は、前記判定部により有害の判定がなされた場合に、前記音楽情報を通常より大きい音量で出力させるものを含む。
これにより、検出された気体成分が有害成分である場合は、濃度の判定結果に応じて、通常より大きい音量で音楽を出力することで、有害な臭いを検出した場合に、濃度に応じて使用者に対し警告を行うことが可能になる。
【００１１】
また、本発明は、上記の携帯電子機器であって、前記判定部は、前記濃度として濃度変化、濃度レベルの少なくとも一つを判定し、前記制御部は、前記判定部で判定した濃度変化、濃度レベルの少なくとも一つに応じて、前記音楽情報の出力を制御するものを含む。
これにより、検出された気体成分の濃度変化、濃度レベルに応じて、例えば香り成分の種類、濃度変化、濃度レベルごとに設定した音楽を出力し、周囲環境に応じた音楽等の再生が可能になる。このため、検出した香りや濃度に応じた使用者にとって好適な音環境を提供できる。
【００１２】
また、本発明は、上記の携帯電子機器であって、前記出力部は、所定の光を発光する発光部を備え、前記記憶部は、前記発光部による発光態様を示す発光情報を記憶し、前記制御部は、前記濃度に応じて前記記憶部から発光情報を読み出し、この発光情報に従って前記発光部を発光させるものを含む。
これにより、検出された気体成分及び濃度に応じて設定された発光を行い、周囲環境に合わせて音楽とともに光を再生することができる。
【００１３】
また、本発明は、上記の携帯電子機器であって、前記判定部は、前記気体成分が有害成分であるか無害成分であるかを判定し、前記制御部は、前記判定部により有害の判定がなされた場合に、警告用の発光態様で前記発光部を発光させるものを含む。
これにより、検出された気体成分が有害成分である場合は、濃度の判定結果に応じて、警告用の発光を行うことで、有害な臭いを検出した場合に、濃度に応じて使用者に対し音と光で警告を行うことが可能になる。
【００１４】
また、本発明は、上記の携帯電子機器であって、外部装置と通信する通信部を備え、前記制御部は、前記判定部で判定する気体成分情報として、有害成分の種類、香り成分のうちの少なくとも一つの情報を、前記通信部を介して更新するものを含む。
これにより、検出すべき有害な気体成分の情報や無害な気体成分についての新たな香り成分の情報などを自動更新でき、更新した情報によって、気体成分の検出、濃度の判定、判定結果に応じた警告や音楽再生等を行うことが可能となる。
【発明の効果】
【００１５】
本発明によれば、周囲の香りや臭いを検出し、濃度に応じた音楽等のコンテンツ再生を行うことができ、使用者に対して周囲環境に応じた音楽等を提供することが可能な携帯電子機器を提供できる。また、有害な臭いを検出した場合に、濃度に応じて使用者に対し警告を行うことが可能な携帯電子機器を提供できる。
【発明を実施するための最良の形態】
【００１６】
（第１の実施形態）
図１は本発明の第１の実施形態に係る携帯電子機器の主要部の構成を示すブロック図である。本実施形態は、音楽等のコンテンツ再生機能を有する携帯電子機器として、携帯音楽プレーヤ等に適用可能なものである。
【００１７】
携帯電子機器は、表示部１１、音楽再生部１２、気体成分センサ１３、判定部１４、記憶部１５、制御部１６を備えて構成される。表示部１１は、ＬＣＤ等のディスプレイ１７、ディスプレイ１７の照明を行うバックライト１８を有して構成され、文字や画像等を含む機器画面を表示するものである。この表示部１１では、機器のメニュー画面、動作状態表示画面、画像等のコンテンツ表示画面などを表示可能となっている。音楽再生部１２は、コンテンツデータとしての音楽データの復号再生処理等を行う再生処理部１９、再生した音を出力するスピーカ２０を有して構成され、音楽のコンテンツを再生出力するものである。ここで、音楽再生部１２が出力部の機能を実現する。また、表示部１１のバックライト１８が発光部の機能を実現し、表示部１１が音楽再生部１２とともに出力部の機能を実現することも可能となっている。
【００１８】
気体成分センサ１３は、気体成分検出部の機能を実現するもので、周辺気体の物質成分を検出するものである。判定部１４は、気体成分センサ１３で検出された気体成分が有害か無害か、及び気体成分の濃度変化を判定するものである。記憶部１５は、気体成分の種類や濃度変化ごとに設定した音楽に関する音楽情報、光のパターン等の発光態様に関する発光情報等を記憶し登録するものである。記憶部１５における音楽情報や発光情報等の設定登録は、予め機器において設定しておいたり、使用者の操作指示によって設定し、設定情報を登録する。制御部１６は、機器各部の制御を行うものであり、各種信号処理、音楽再生制御、バックライト点灯制御などを行う。第１の実施形態では、制御部１６は、有害な気体成分が検出された場合に濃度変化に応じた警告用の音楽再生等を行うものとする。ここで、記憶部１５は、情報記憶用のメモリ等により構成される。制御部１６及び判定部１４は、処理情報格納用のメモリ、及び処理動作を行うプロセッサ等により構成され、所定のプログラムを実行することによって各機能が実現される。
【００１９】
図２は第１の実施形態における携帯電子機器の動作を示すフローチャートである。ここでは、気体の有害成分を検出した際に、濃度変化に応じて警告用の音を再生する場合の動作を示す。図２の処理手順では、制御部１６の動作を中心に示している。
【００２０】
まず、制御部１６は、気体成分センサ１３の検出動作を開始させる（ステップＳ１１）。そして、判定部１４で気体成分センサ１３からの検出値を取り込み、制御部１６は判定部１４における判定結果を判断する。ここでは、判定部１４において検出した気体成分が有害成分であると判定されたかを判断し、さらに濃度変化が増加判定であるかどうかを判断する（ステップＳ１２）。有害成分の判定としては、記憶部１５に登録されている気体成分情報に基づき、検出成分が不快な臭いであるもの、ガスなどの人体に有害な気体であるもの、などの判別を行う。ステップＳ１２において、判定部１４で有害成分の判定及び濃度変化の増加判定がなされた場合に、制御部１６は、所定音量より大きくなるように音量大として、音楽再生部１２によって有害成分検出時の警告用に設定された所定の音楽、または現在再生中の音楽を通常より大きい音量で出力して再生する。また、表示部１１のバックライト１８によって有害成分検出時の警告用に設定された所定の光のパターンを発光し、ディスプレイ１７によって所定の警告表示を行う。これらにより、使用者に対して音と光、及び表示によってアラーム警告を行う（ステップＳ１３）。
【００２１】
次に、制御部１６は、判定部１４による濃度判定が増加判定か減少判定かを判断する（ステップＳ１４）。ステップＳ１４において、濃度判定が増加判定である場合は、制御部１６は、有害成分の危険度が継続または増加したと判断し、アラーム警告の継続もしくは再度アラーム警告を開始する。ここでは、ステップＳ１３と同様、音楽再生部１２により音量大で所定の音楽を再生し、表示部１１により所定の光のパターンの発光及び画面表示を行うことでアラーム警告する（ステップＳ１５）。その後ステップＳ１４の処理に戻って同様の処理を行う。
【００２２】
また、ステップＳ１４において、濃度判定が減少判定である場合は、制御部１６は、有害成分の危険度が減少したと判断し、アラーム警告を停止する。ここでは、音楽再生部１２による警告用の音楽再生を停止し、表示部１１による光及び画面表示の警告を停止する（ステップＳ１６）。その後ステップＳ１４の処理に戻って同様の処理を行う。
【００２３】
上記の動作によって、例えばガス漏れ検出など、周囲の不快な臭いや有害な気体成分などを検出でき、その濃度が増加している場合は音楽、光、画面表示によるアラーム警告を行って使用者に知らせることができる。また、有害成分の濃度が減少した場合は、音、光、画面表示によるアラーム警告を自動的に停止することができる。
【００２４】
（第２の実施形態）
図３は本発明の第２の実施形態に係る携帯電子機器の主要部の構成を示すブロック図である。本実施形態は、音楽等のコンテンツ再生機能を有する携帯電子機器として、携帯音楽プレーヤ等に適用可能なものである。
【００２５】
第２の実施形態の携帯電子機器は、前述した第１の実施形態と比較して、判定部２４、記憶部２５、制御部２６の機能を一部変更したものである。第１の実施形態と同様の構成要素については同一符号を付して説明を省略する。
【００２６】
判定部２４は、気体成分センサ１３で検出された気体成分が有害か無害か、香りの種類、及び気体成分の濃度変化を判定するものである。記憶部２５は、香りの種類や濃度変化ごとに設定した音楽プレイリストに関する音楽情報、光のパターン等の発光態様に関する発光情報等を記憶し登録するものである。記憶部２５における音楽情報や発光情報等の設定登録は、予め機器において設定しておいたり、使用者の操作指示によって設定し、設定情報を登録する。制御部２６は、機器各部の制御を行うものであり、各種信号処理、音楽再生制御、バックライト点灯制御などを行う。第２の実施形態では、制御部２６は、気体成分が無害な場合に香りの種類及び濃度変化に応じた音楽再生等を行うものとする。
【００２７】
図４は第２の実施形態における携帯電子機器の動作を示すフローチャートである。ここでは、気体の香りの種類、及び濃度変化に応じて音楽プレイリストを再生する場合の動作を示す。図４の処理手順では、制御部２６の動作を中心に示している。
【００２８】
まず、制御部２６は、気体成分センサ１３の検出動作を開始させる（ステップＳ２１）。そして、判定部２４で気体成分センサ１３からの検出値を取り込み、制御部２６は判定部２４における判定結果を判断する。ここでは、判定部２４において検出した気体成分が無害成分であると判定されたかを判断し、さらに濃度変化が増加判定であるかどうかを判断する（ステップＳ２２）。無害成分の判定としては、記憶部２５に登録されている気体成分情報に基づき、一致する無害な香りの気体成分があるか、などの判別を行う。ステップＳ２２において、判定部２４で無害成分の判定及び濃度変化の増加判定がなされた場合に、制御部２６は、音量小状態から徐々に音量を大きくするようにして、音楽再生部１２によって徐々に音量を上げながらその香りに対応して濃度増加検出時の再生用に設定された所定の音楽を再生する。この際、再生する音楽は、１曲単位で設定してもよいし、複数の曲を含むプレイリスト単位で設定してもよい。また、表示部１１のバックライト１８によってその香りに対応して濃度増加検出時の再生用に設定された所定の光のパターンを発光する。これらにより、検出された香り成分ごとに設定された音楽再生と発光を行い、周囲環境に音楽や光を連動させる（ステップＳ２３）。
【００２９】
次に、制御部２６は、判定部２４による濃度変化判定を判別し、濃度変化が増加判定か減少判定か、あるいは検出レベル以下になったかを判断する（ステップＳ２４）。ステップＳ２４において、濃度変化が増加判定である場合は、制御部２６は、検出された香りの濃度が増加していることを判断し、濃度増加検出時の再生用として、音楽再生部１２により所定の音楽を再生し、表示部１１により所定の光のパターンを発光して、検出された香り及び濃度増加に対応する音楽再生と発光を行う（ステップＳ２５）。その後ステップＳ２４の処理に戻って同様の処理を行う。
【００３０】
また、ステップＳ２４において、濃度変化が減少判定である場合は、制御部２６は、検出された香りの濃度が減少していることを判断し、濃度減少検出時の再生用として、音楽再生部１２により所定の音楽を再生し、表示部１１により所定の光のパターンを発光して、検出された香り及び濃度減少に対応する音楽再生と発光を行う（ステップＳ２６）。その後ステップＳ２４の処理に戻って同様の処理を行う。
【００３１】
また、ステップＳ２４において、濃度が検出レベル以下の判定である場合は、制御部２６は、所定の音量から徐々に音量を小さくするようにして、音楽再生部１２によって徐々に音量を下げながら音楽再生を停止し、表示部１１による発光を停止する（ステップＳ２７）。これにより、使用者にとって自然な感じで検出された香りに対応する音楽と光を停止させる。
【００３２】
上記の動作によって、使用者が好む香りなど、登録された香りの気体成分を検出でき、その濃度が増加している場合は香りごとに設定された所定の音楽再生、発光を行うことができる。例えば、検出した香りの種類ごとに異なる曲やジャンルの音楽を再生するなど、香り成分によって登録してある複数の音楽や光のパターンを切り替えることが可能になる。また、該当する香りの気体成分の濃度が減少して検出レベル以下となった場合は、音楽再生、発光を自動的に停止することができる。なお、濃度減少を判定した場合に、音楽再生を停止せず、濃度増加判定時と濃度減少判定時とで異なる曲やジャンルの音楽を再生するようなことも可能である。また、濃度増加判定時に徐々に音量を上げる、濃度減少判定時に徐々に音量を下げるなどの音量制御も可能である。
【００３３】
（第３の実施形態）
図５は本発明の第３の実施形態に係る携帯電子機器の主要部の構成を示すブロック図である。本実施形態は、音楽等のコンテンツ再生機能を有する携帯電子機器として、携帯音楽プレーヤ等に適用可能なものである。
【００３４】
第３の実施形態の携帯電子機器は、前述した第２の実施形態と比較して、判定部３４、記憶部３５、制御部３６の機能を一部変更したものである。第１及び第２の実施形態と同様の構成要素については同一符号を付して説明を省略する。
【００３５】
判定部３４は、気体成分センサ１３で検出された気体成分が有害か無害か、香りの種類、及び気体成分の濃度レベルを判定するものである。記憶部３５は、香りの種類や濃度レベル（濃度範囲）ごとに設定した音楽プレイリストに関する音楽情報、光のパターン等の発光態様に関する発光情報等を記憶し登録するものである。記憶部３５における音楽情報や発光情報等の設定登録は、予め機器において設定しておいたり、使用者の操作指示によって設定し、設定情報を登録する。制御部３６は、機器各部の制御を行うものであり、各種信号処理、音楽再生制御、バックライト点灯制御などを行う。第３の実施形態では、制御部３６は、気体成分が無害な場合に香りの種類及び濃度レベルに応じた音楽再生等を行うものとする。
【００３６】
図６は第３の実施形態における携帯電子機器の動作を示すフローチャートである。ここでは、気体の香りの種類、及び濃度レベルに応じて音楽プレイリストを再生する場合の動作を示す。図６の処理手順では、制御部３６の動作を中心に示している。
【００３７】
まず、制御部３６は、気体成分センサ１３の検出動作を開始させる（ステップＳ３１）。そして、判定部３４で気体成分センサ１３からの検出値を取り込み、制御部３６は判定部３４における判定結果を判断する。ここでは、判定部３４において検出した気体成分が無害成分であると判定されたかを判断し、さらに濃度レベルが所定の濃度範囲を表すゾーン１であるかどうかを判断する（ステップＳ３２）。ステップＳ３２において、判定部３４で無害成分の判定及び濃度レベルのゾーン１判定がなされた場合に、制御部３６は、音量小状態から徐々に音量を大きくするようにして、音楽再生部１２によって徐々に音量を上げながらその香りに対応して濃度ゾーン１検出時の再生用に設定された所定の音楽を再生する。この際、再生する音楽は、１曲単位で設定してもよいし、複数の曲を含むプレイリスト単位で設定してもよい。また、表示部１１のバックライト１８によってその香りに対応して濃度ゾーン１検出時の再生用に設定された所定の光のパターンを発光する。これらにより、検出された香り成分及び濃度範囲ごとに設定された音楽再生と発光を行い、周囲環境に音楽や光を連動させる（ステップＳ３３）。
【００３８】
次に、制御部３６は、判定部３４による濃度レベル判定を判別し、濃度レベルが上記ゾーン１の判定であるか、このゾーン１と異なる濃度範囲を表すゾーン２の判定であるか（例えばゾーン１＜ゾーン２）、あるいは検出レベル以下になったかを判断する（ステップＳ３４）。ステップＳ３４において、濃度レベルがゾーン１判定である場合は、制御部３６は、検出された香りの濃度レベルがゾーン１であることを判断し、濃度レベルゾーン１検出時の再生用として、音楽再生部１２により所定の音楽を再生し、表示部１１により所定の光のパターンを発光して、検出された香り及び濃度ゾーン１に対応する音楽再生と発光を行う（ステップＳ３５）。その後ステップＳ３４の処理に戻って同様の処理を行う。
【００３９】
また、ステップＳ３４において、濃度レベルがゾーン２判定である場合は、制御部３６は、検出された香りの濃度レベルがゾーン２であることを判断し、濃度レベルゾーン２検出時の再生用として、音楽再生部１２により所定の音楽を再生し、表示部１１により所定の光のパターンを発光して、検出された香り及び濃度ゾーン２に対応する音楽再生と発光を行う（ステップＳ３６）。その後ステップＳ３４の処理に戻って同様の処理を行う。
【００４０】
また、ステップＳ３４において、濃度が検出レベル以下の判定である場合は、制御部３６は、所定の音量から徐々に音量を小さくするようにして、音楽再生部１２によって徐々に音量を下げながら音楽再生を停止し、表示部１１による発光を停止する（ステップＳ３７）。これにより、使用者にとって自然な感じで検出された香り及び濃度レベルに対応する音楽と光を停止させる。
【００４１】
上記の動作によって、使用者が好む香りなど、登録された香りの気体成分を検出でき、その香り及び濃度レベルごとに設定された所定の音楽再生、発光を行うことができる。例えば、検出した香りの濃度レベルごとに異なる曲やジャンルの音楽を再生するなど、香り成分、濃度レベルによって登録してある複数の音楽や光のパターンを切り替えることが可能になる。また、該当する香りの気体成分の濃度が検出レベル以下となった場合は、音楽再生、発光を自動的に停止することができる。なお、濃度が検出レベル以下の場合に、音楽再生を停止せず、他の濃度レベルの時と異なる曲やジャンルの音楽を再生するようなことも可能である。また、濃度レベルによって徐々に音量を上げる、徐々に音量を下げるなどの音量制御も可能である。
【００４２】
（第４の実施形態）
図７は本発明の第４の実施形態に係る携帯電子機器の主要部の構成を示すブロック図である。本実施形態は、音楽等のコンテンツ再生機能を有する携帯電子機器として、携帯電話装置等に適用可能なものである。
【００４３】
第４の実施形態の携帯電子機器は、移動通信による無線通信機能を有し、移動通信無線部４１、移動通信信号処理部４２、音声インタフェース４３を備えている。この移動通信無線部４１、移動通信信号処理部４２が外部装置と通信する通信部の機能を実現する。
【００４４】
また、前述した第１の実施形態と比較して、判定部４４、記憶部４５、制御部４６の機能を一部変更したものである。
【００４５】
移動通信無線部４１、移動通信信号処理部４２、音声インタフェース４３は、セルラー通信システム等の無線通信システムに対応した携帯電話装置の基本機能を実現するものである。移動通信無線部４１は、各種情報を含む無線信号の送受信、変調、復調等を行うものである。移動通信信号処理部４２は、各種情報を含む通信信号の符号化、復号化等のベースバンド処理を始めとした信号処理を行うものである。音声インタフェース４３は、音声通話に関するマイク音声入力、レシーバ音声出力等を行う音声入出力用のインタフェースである。なお、無線通信機能を司る構成要素は、移動通信の他に、無線ＬＡＮ、ＷｉＭＡＸ（World Interoperability for Microwave Access）、Bluetooth（登録商標）、ＩｒＤＡ、ＲＦタグ等、各種無線通信に対応する無線通信インタフェースを通信部として設けてもよい。また、無線通信に限らず、ＵＳＢ（Universal Serial Bus）、イーサネット（登録商標）等の有線ネットワークなど、各種有線通信に対応する有線通信インタフェースを通信部として設けても構わない。
【００４６】
判定部４４は、気体成分センサ１３で検出された気体成分が有害か無害か、香りの種類、及び気体成分の濃度変化を判定するものである。記憶部４５は、気体成分の種類や香りの種類、濃度変化ごとに設定した音楽に関する音楽情報、光のパターン等の発光態様に関する発光情報等を記憶し登録するものである。記憶部４５における音楽情報や発光情報等の設定登録は、予め機器において設定しておいたり、使用者の操作指示によって設定し、設定情報を登録する。制御部４６は、機器各部の制御を行うものであり、各種信号処理、音楽再生制御、バックライト点灯制御などを行う。第４の実施形態では、制御部４６は、判定部４４における気体成分情報の登録情報の更新、記憶部４５における気体成分ごとの音楽情報や発光情報の更新、気体成分が有害な場合に濃度変化に応じた警告等を行うものとする。
【００４７】
図８は第４の実施形態における携帯電子機器の動作を示すフローチャートである。ここでは、有害な気体成分等の登録情報の更新を行うとともに、気体の有害成分を検出した際に、濃度変化に応じて警告用の音を再生する場合の動作を示す。図８の処理手順では、制御部４６の動作を中心に示している。
【００４８】
まず、制御部４６は、移動通信無線部４１及び移動通信信号処理部４２を用いて外部のネットワークとの通信を行い、ネットワーク上に更新されている有害成分の種類等に関する気体成分情報があるかを確認する（ステップＳ４１）。そして、検出すべき有害成分の情報の更新が必要であるかを判断し（ステップＳ４２）、更新が必要である場合は、判定部４４における有害成分情報を更新し、この新たな有害成分に対応させて、記憶部４５における音楽情報や発光情報を更新する（ステップＳ４３）。また、ステップＳ４２で更新が不要な場合は、ステップＳ４３の更新処理をスキップして次の処理に進む。
【００４９】
次に、制御部４６は、気体成分センサ１３の検出動作を開始させる（ステップＳ４４）。そして、判定部４４で気体成分センサ１３からの検出値を取り込み、制御部４６は判定部４４における判定結果を判断する。ここでは、判定部４４において検出した気体成分が有害成分であると判定されたかを判断し、さらに濃度レベルが所定レベル以上であるかを判断する（ステップＳ４５）。ステップＳ４５において、判定部４４で有害成分の判定がなされた場合に、制御部４６は、所定音量より大きくなるように音量大として、音楽再生部１２によって有害成分検出時の警告用に設定された所定の音楽、または現在再生中の音楽を再生する。また、表示部１１のバックライト１８によって有害成分検出時の警告用に設定された所定の光のパターンを発光し、ディスプレイ１７によって所定の警告表示を行う。これらにより、使用者に対して音と光、及び表示によってアラーム警告を行う（ステップＳ４６）。
【００５０】
次に、制御部４６は、判定部４４による濃度判定が増加判定か減少判定かを判断する（ステップＳ４７）。ステップＳ４７において、濃度判定が増加判定である場合は、制御部４６は、有害成分の危険度が継続または増加したと判断し、アラーム警告の継続もしくは再度アラーム警告を開始する。ここでは、ステップＳ４６と同様、音楽再生部１２により音量大で所定の音楽を再生し、表示部１１により所定の光のパターンの発光及び画面表示を行うことでアラーム警告する（ステップＳ４８）。その後ステップＳ４７の処理に戻って同様の処理を行う。
【００５１】
また、ステップＳ４７において、濃度判定が減少判定である場合は、制御部４６は、危険度が減少したと判断し、アラーム警告を停止する。ここでは、音楽再生部１２による警告用の音楽再生を停止し、表示部１１による光及び画面表示の警告を停止する（ステップＳ４９）。その後ステップＳ４７の処理に戻って同様の処理を行う。
【００５２】
なお、上述した第２、第３の実施形態の動作においても、上記と同様な気体成分情報の更新処理を適用可能である。すなわち、有害成分の種類等の気体成分情報に限らず、新たな香り成分を登録する場合など、無害な気体成分についても同様に登録情報を更新することが可能である。この場合、通信手段を用いて香り成分を含む気体成分情報を更新し、更新後の情報によって濃度変化や濃度レベルに応じた音楽再生、発光を行う。
【００５３】
上記の動作によって、検出すべき有害な気体成分の情報や無害な気体成分についての新たな香り成分の情報などを自動更新でき、更新した情報によって、気体成分の検出、濃度変化等の判定、判定結果に応じた警告やコンテンツ再生等を行うことができる。
【００５４】
なお、上記各実施形態において、音楽情報としては、楽曲の種類等に限らず、音量、音質などの情報を含んでいてもよい。これにより、検出した香り成分などに応じた音楽、音量、音質によって音楽再生を行い、使用者にとって好適な音環境を提供することができる。
【００５５】
以上説明したように、本実施形態では、周囲の香りや臭いを検出し、その濃度変化、濃度レベル等に応じて設定した音楽再生や発光の開始、停止、あるいは音楽再生時の音量や音質等を制御するようにしている。これによって、検出した気体成分の種類、濃度に応じた音や光の再生を行い、使用者に提供することができる。
【００５６】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。
【産業上の利用可能性】
【００５７】
本発明は、周囲の香りや臭いを検出し、濃度に応じた音楽等のコンテンツ再生を行うことができ、使用者に対して周囲環境に応じた音楽等を提供することが可能となる効果、有害な臭いを検出した場合に、濃度に応じて使用者に対し警告を行うことが可能となる効果を有し、例えば携帯音楽プレーヤ、携帯電話装置などのような音楽等のコンテンツ再生機能を有する携帯電子機器等として有用である。
【図面の簡単な説明】
【００５８】
【図１】本発明の第１の実施形態に係る携帯電子機器の主要部の構成を示すブロック図
【図２】第１の実施形態における携帯電子機器の動作を示すフローチャート
【図３】本発明の第２の実施形態に係る携帯電子機器の主要部の構成を示すブロック図
【図４】第２の実施形態における携帯電子機器の動作を示すフローチャート
【図５】本発明の第３の実施形態に係る携帯電子機器の主要部の構成を示すブロック図
【図６】第３の実施形態における携帯電子機器の動作を示すフローチャート
【図７】本発明の第４の実施形態に係る携帯電子機器の主要部の構成を示すブロック図
【図８】第４の実施形態における携帯電子機器の動作を示すフローチャート
【符号の説明】
【００５９】
１１  表示部
１２  音楽再生部
１３  気体成分センサ
１４、２４、３４、４４  判定部
１５、２５、３５、４５  記憶部
１６、２６、３６、４６  制御部
１７  ディスプレイ
１８  バックライト
１９  再生処理部
２０  スピーカ
４１  移動通信無線部
４２  移動通信信号処理部
４３  音声インタフェース
【図１】
2010187126.tif 000003
【図２】
2010187126.tif 000004
【図３】
2010187126.tif 000005
【図４】
2010187126.tif 000006
【図５】
2010187126.tif 000007
【図６】
2010187126.tif 000008
【図７】
2010187126.tif 000009
【図８】
2010187126.tif 000010